(57)【要約】【課題】  かごドア周囲の隙間部分を閉塞するだけでなく遮音効果も得ることができ、且つかごドア開閉時の異音も小さくすることができるようにしたエレベータのかごドア周囲の隙間部分閉塞構造を提供する。【解決手段】  かごドアと敷居１との間の隙間部分を閉塞する方向へ移動可能な可動体１１がかごドア３上に設けられている。この可動体上には吸音材１２が設けられている。可動体には前記隙間部分を閉塞する方向への作動力を与えるための案内機構１６がリンク１３を介して取り付けられている。敷居１には、かごドアが閉位置へ移動する際に可動体が前記隙間部分を閉塞する方向へ移動するように案内機構を案内する案内溝２が設けられている。【選択図】      図１
2006264873.tif 000002
【特許請求の範囲】
【請求項１】
乗りかごの出入口の下方に設けられた敷居と、この敷居に沿って移動し、前記出入口を開閉するかごドアとを備えたエレベータに設けられ、前記かごドアが閉位置にあるときに前記かごドアの辺縁部と前記敷居やその他の構造物との間に生じる隙間部分を閉塞するためのものであって、前記かごドア上に設けられ、前記隙間部分を閉塞する方向へ移動可能な可動体と、この可動体上に設けられ、前記隙間部分を閉塞するための吸音材と、前記可動体に取り付けられ、前記可動体に前記隙間部分を閉塞する方向への作動力を与えるための案内機構と、前記敷居や前記構造物に設けられ、前記かごドアが閉位置へ移動する際に前記可動体が前記隙間部分を閉塞する方向へ移動するように前記案内機構を案内する案内部と、を備えたことを特徴とするエレベータのかごドア周囲の隙間部分閉塞構造。
【請求項２】
前記案内部は溝であると共にその深さが変化するように形成され、前記可動体と前記案内機構とがリンクで連結されると共に、前記かごドアの移動に伴って前記案内機構が上下方向に移動して前記リンクが前記可動体を移動させるようにしたことを特徴とする請求項１記載のエレベータのかごドア周囲の隙間部分閉塞構造。
【請求項３】
前記案内部は溝であると共にその幅が前記かごドアの閉位置側と開位置側とで異なるように形成され、前記案内機構は、縦断面三角形状で側面が前記案内部に摺接する摺動部を有することを特徴とする請求項１記載のエレベータのかごドア周囲の隙間部分閉塞構造。
【請求項４】
前記かごドアの下方に設けられた前記可動体を、前記かごドアが移動する際に前記吸音材が前記敷居に接触しないように保持する保持機構を備えたことを特徴とする請求項１〜請求項３のいずれか一項記載のエレベータのかごドア周囲の隙間部分閉塞構造。
【発明の詳細な説明】
【技術分野】
【０００１】
本発明はエレベータのかごドア周囲の隙間部分閉塞構造に関する。
【背景技術】
【０００２】
図１０〜図１２は従来の隙間部分閉塞構造を備えたエレベータのかごドア部分の構造を示す図であり、図１０はかごドア部分の要部正面図、図１１は図１０の要部平面図、図１２は図１０の要部側面図である。なお、ここでは、かごドアが二枚で中央開きの場合を例に挙げている。
【０００３】
これらの図において、１は敷居で、乗りかごの出入口の下方において左右に延びるように設けられ、その上面には長手方向に延びるガイドシュー溝２が形成されている。この敷居１上には左右一対のかごドア３が支持され、各かごドア３の下端部には左右一対のガイドシュー４が取り付けられており、これらのガイドシュー４はガイドシュー溝２に摺動自在に係合している。各かごドア３は互いに接近及び離間する方向に移動して乗りかごの出入口を開閉する。
【０００４】
乗りかごの出入口の両側には入口柱５が立設され、出入口の上方には幕板６が設けられている。かごドア２が閉位置にあるときには、かごドア３の辺縁部と、敷居２、入口柱５、及び幕板６等との間に隙間部分が生じる。なお、かごドア３の駆動機構部である上部構造についての説明は割愛する。
【０００５】
従来、この隙間部分の閉塞構造としては、例えば、かごドア３と入口柱５との間の隙間部分７の前後方向の幅よりも幅広で且つ隙間部分７より長いゴムプレート８をかごドア３の側面後部に上下に延びるように取り付け、かごドア３が閉位置にあるときに、このゴムプレート８が入口柱５に接触して湾曲することで隙間部分７を閉塞するようにしたもの等が採用されている。
【０００６】
また、幕板６の下部前面に細長いパッキン９を左右に延びるように取り付け、このパッキン９がかごドア３に常時摺接することで、かごドア３と幕板６との間の隙間部分１０を閉塞するようにしている。
【発明の開示】
【発明が解決しようとする課題】
【０００７】
上記のような構造では、遮煙のためには効果はあるものの、ゴムプレート８が吸音効果もある程度得られるようにするにはかなり厚くしなければならず、その場合、ゴムプレート８の幅を大きくしなければならないため、入口柱５との接触面積が増大し、かごドア３の開閉をスムーズに行うことができないと共に、開閉時の異音も大きくなるという問題点が有った。
【課題を解決するための手段】
【０００８】
上記課題を解決するために、本発明は、乗りかごの出入口の下方に設けられた敷居と、この敷居に沿って移動し、前記出入口を開閉するかごドアとを備えたエレベータに設けられ、前記かごドアが閉位置にあるときに前記かごドアの辺縁部と前記敷居やその他の構造物との間に生じる隙間部分を閉塞するためのものであって、前記かごドア上に設けられ、前記隙間部分を閉塞する方向へ移動可能な可動体と、この可動体上に設けられ、前記隙間部分を閉塞するための吸音材と、前記可動体に取り付けられ、前記可動体に前記隙間部分を閉塞する方向への作動力を与えるための案内機構と、前記敷居や前記構造物に設けられ、前記かごドアが閉位置へ移動する際に前記可動体が前記隙間部分を閉塞する方向へ移動するように前記案内機構を案内する案内部と、を備えたことを特徴とするエレベータのかごドア周囲の隙間部分閉塞構造である。
【発明の効果】
【０００９】
本発明によれば、かごドア周囲の隙間部分を閉塞するだけでなく、遮音効果も得ることができる。また、敷居やその他の構造物と吸音材とが接触することによる異音も小さくすることができ、吸音材の摩耗も少なくすることができる。
【発明を実施するための最良の形態】
【００１０】
以下、本発明の一実施形態を図面に基づいて説明する。図１、図２は本発明の第１の実施形態の要部正面図、図３は第１の実施形態の要部平面図、図４は図１の要部拡大図、図５は図３の要部拡大図である。なお、本実施形態において、上記従来例と同一又は類似の部分には同一の符号を用いており、重複する説明は省略してある。
【００１１】
図１、図３、図４に示すように、本実施形態では、かごドア３の下部に断面Ｌ字形の細長い可動体１１が水平に設けられており、この可動体１１の下面に帯状の吸音材１２が設けられている。この吸音材１２は、例えばＥＰＤＭ（エチレン−プロピレン−ジエン三元共重合体）系スポンジゴム等のエチレン−プロピレンゴムや、その他の吸音性が良好な弾性有る材料により形成され、かごドア３と敷居１との間の隙間部分を閉塞することができる大きさを有している。
【００１２】
この可動体１１には帯板状のリンク１３の一端がピン１４を介して枢着されている。このリンク１３は、他端側寄りの中間部がピン１５を介してかごドア３に枢着されている。そして、リンク１３の他端には案内機構１６が取り付けられている。
【００１３】
この案内機構１６は、リンク１３の他端に固定された固定部１７と、この固定部１７の下端に取り付けられたローラ１８とを有している。敷居１にはローラ１８をガイドする案内溝１９が設けられ、この案内溝１９は段付き状に形成されており、かごドア３が閉位置に達する直前にローラ１８を上方に変位させるようになっている。
【００１４】
かごドア３の一方の側面には保持機構２０が取り付けられている。この保持機構２０は、かごドア３がスムーズに移動できるよう、かごドア３が閉位置以外の場所にあるときに可動体１１を持ち上げて吸音材１２と敷居１との間に隙間を生じさせるためのもので、かごドア１２に固定された断面Ｌ字形の固定部２１と、この固定部２１により略垂直に支持され、軸方向に摺動可能なガイド棒２２と、このガイド棒２２の下端に取り付けられ、リンク１３の他端に固定された押し付け部２３と、この押し付け部２３と固定部２１との間においてガイド棒１８に同軸状に装着されたコイルバネ２４とを有している。
【００１５】
また、本実施形態では、図２、図３、図５に示すように、かごドア３の一方の側面に断面Ｌ字形の可動体２５が前後に移動可能に取り付けられており、この可動体２５の内側面には角柱状の吸音材２６が設けられ、この吸音材２６は吸音材１２と同じ材料により形成され、かごドア３と入口柱５との間の隙間部分を閉塞することができる大きさを有している。
【００１６】
そして、可動体２５の下端には案内機構２７が取り付けられている。この案内機構２７は、可動体２５に固定された断面Ｌ字形の固定部２８と、この固定部２８に固定された断面Ｌ字形の支持部２９と、この支持部２９により略垂直に支持され、軸線まわりに回転自在の支軸３０と、この支軸３０の下端に取り付けられたローラ３１とを有している。
【００１７】
敷居１にはローラ３１をガイドする案内溝３２が設けられ、この案内溝３２は入口柱５側の端部が乗りかご内部側に向けて屈曲するように形成されており、かごドア３が閉位置に達する直前にローラ３１を乗りかご内部側に変位させる。
【００１８】
次に、本実施形態の作用を説明する。かごドア３が、図１の右側に示す開位置から閉方向（左方向）に移動する際、案内機構１６のローラ１８は敷居１に設けられた案内溝１９に追従するため、かごドア３が閉位置に達する寸前においてローラ１８が上方に変位する（図４参照）。
【００１９】
これにより、リンク１３がピン１５を支点として回動し、可動体１１が保持機構２０のコイルバネ２４のバネ力に抗して押し下げられ、吸音材１２が敷居１の上面に圧接されてかごドア３と敷居１との間の隙間部分が閉塞される。なお、リンク１３のかごドア３に対する支点を案内機構１６に近づけると、案内機構１６によるリンク１３の端部の持ち上げ量を小さくすることができる。
【００２０】
また、かごドア３が閉方向に移動する際、案内機構２７のローラ３１はかごドア３が閉位置に達する寸前に乗りかごの内部側へ変位する。これにより、吸音材２６が入口柱５に圧接されてかごドア３と入口柱５との間の隙間部分が閉塞される。
【００２１】
したがって、煙やその他の異物が乗りかご内に侵入するのを防ぐことができるだけでなく、吸音材１２、２６は吸音性に優れているため、かごドア３近辺の騒音が乗りかご内に届きにくくなり、乗りかご内の静粛性が向上する。
【００２２】
また、かごドア３の開閉時には吸音材１２と敷居１との間に隙間が生じており、吸音材１２が敷居１に接触するのはかごドア３が閉位置に達する寸前であるため、かごドア３の開閉がスムーズであるとと共に異音も小さいという利点が有る。また、吸音材１２が摩耗しにくい。
【００２３】
次に、本発明の第２の実施形態について説明する。図６は第２の実施形態の要部平面図、図７は図６のＡ−Ａ線断面図、図８は図６のＢ−Ｂ線断面図、図９は第２の実施形態の要部側面図である。
【００２４】
なお、本実施形態において、第１の実施形態と同一又は類似の部分には同一の符号を用いており、重複する説明は省略してある。
【００２５】
本実施形態では、図７、図８に示すように、かごドア３の下部に設けられた可動体１１（図１参照）に作動力を与える案内機構１６が、第１の実施形態のローラ１８を縦断面三角形状の摺動部３３に置き換えた構造となっている。また、図６に示すように、敷居１の案内溝１９は、閉位置側の溝幅が開位置側の溝幅よりも小さくなるように形成されている。
【００２６】
摺動部３３は、その側面が案内溝１９に摺接し、かごドア３が開位置側に位置している状態（図７）では摺動部３３の下端部が溝１９の底面に接し、かごドア３が閉位置側に位置している状態では摺動部３３の下端部が溝１９の底面の上方に位置する。これにより、かごドア３が閉位置に達する寸前において可動体１１が押し下げられて吸音材１２が敷居１の上面に圧接され、かごドア３と敷居１との間の隙間部分が閉塞される。
【００２７】
また、本実施形態では、かごドア３の内面の上端部に断面Ｌ字形の細長い可動体３４が水平かつ上下に移動可能に取り付けられており、この可動体３４の内側面には角柱状の吸音材３５が設けられている。この吸音材３５は第１の実施形態の吸音材１２と同じ材料により形成され、かごドア３と幕板６との間の隙間部分を閉塞することができる大きさを有している。
【００２８】
そして、可動体３４の上面には案内機構３６が取り付けられている。この案内機構３６は、可動体３４に固定された断面コの字形の支持部３７と、この支持部３７により支持された縦断面三角形状の摺動部３８とを有している。
【００２９】
また、幕板６の下部はコの字形に屈曲し、その上面には摺動部３８を受け入れる案内溝（図示せず）がかごドア３の開閉方向に延びるように設けられており、この案内溝は、閉位置側の溝幅が開位置側の溝幅よりも大きくなるように形成されている。
【００３０】
摺動部３８は、この案内溝を貫通して側面が案内溝に接しており、かごドア３が開位置側に位置している状態よりもかごドア３が閉位置側に位置している状態の方が摺動部３８の下部が案内溝の下方に突出する量が大きくなる。これにより、かごドア３が閉位置に達する寸前において可動体３４が押し下げられて吸音材３５が幕板６の屈曲部分の上面に圧接され、かごドア３と幕板６との間の隙間部分が閉塞される。
【００３１】
なお、摺動部３８の断面形状を上方に向かって先細りする三角形状とし、これを案内する案内溝を閉位置側の溝幅が開位置側の溝幅よりも小さくなるように形成してもよい。
【００３２】
本実施形態においても、第１の実施形態と同様の効果を得ることができる。
【００３３】
以上、具体例を挙げて本発明の一実施形態について説明したが、本発明は上記実施形態に限定されるものではなく、本発明の要旨を逸脱しない範囲で上記の各実施形態に種々の改変を施すことができる。
【図面の簡単な説明】
【００３４】
【図１】本発明の第１の実施形態の要部正面図。
【図２】本発明の第１の実施形態の要部正面図。
【図３】第１の実施形態の要部平面図。
【図４】図１の要部拡大図。
【図５】図３の要部拡大図。
【図６】第２の実施形態の要部平面図。
【図７】図６のＡ−Ａ線断面図。
【図８】図６のＢ−Ｂ線断面図。
【図９】第２の実施形態の要部側面図。
【図１０】従来の隙間部分閉塞構造を備えたエレベータのかごドア部分の要部正面図。
【図１１】図１０の要部平面図。
【図１２】図１０の要部側面図。
【符号の説明】
【００３５】
１    敷居
３    かごドア
５    入口柱（構造物）
６    幕板（構造物）
１１    可動体
１２    吸音材
１３    リンク
１６    案内機構
１９    案内溝（案内部）
２０    保持機構
３２    案内溝（案内部）
３３    摺動部
３８    摺動部
【図１】
2006264873.tif 000003
【図２】
2006264873.tif 000004
【図３】
2006264873.tif 000005
【図４】
2006264873.tif 000006
【図５】
2006264873.tif 000007
【図６】
2006264873.tif 000008
【図７】
2006264873.tif 000009
【図８】
2006264873.tif 000010
【図９】
2006264873.tif 000011
【図１０】
2006264873.tif 000012
【図１１】
2006264873.tif 000013
【図１２】
2006264873.tif 000014